(57)【要約】【課題】保管や搬送、搬入時はコンパクトにユニット化して容易に取扱える一方、一体化させると丈夫な構造にすることができ、さらに一体化状態での美観と使い勝手に優れる家具を提供する。【解決手段】上下家具ユニット１０、２０を連結支持部材３０で連結して一体化し、連結状態では必要十分な強度を確保しつつ、組立以前は家具各構成部分、特に上下家具ユニット１０、２０間の中間部分を細かく分割可能な構造とし、分割状態においてこの中間部分をなす各部材の占める容積を小さくできることから、保管、搬送及び搬入時に都合がよく、作業性に優れると共に、連結状態における上下家具ユニット１０、２０間の開放空間部５０の両側に構造物がなくなり、開放空間部５０をより広く使えて干渉等もなく有効に活用でき、家具としての使い勝手に優れる。【選択図】  図１
2004209122.tif 000002
【特許請求の範囲】
【請求項１】
家具上部と下部との中間に所定の開放空間部を配置して少なくとも上下方向に複数段構造とされる家具において、
前記家具上部をなす上部家具ユニットと、
前記家具下部をなす下部家具ユニットと、
前記上部家具ユニットと前記下部家具ユニットとの中間に一又は複数配置され、上部家具ユニット下面に上辺部を固定されると共に下部家具ユニット上面に下辺部を固定される略コ字形状の連結支持部材と、
少なくとも上部家具ユニットの下面と下部家具ユニットの上面、並びに前記連結支持部材の前記上辺部及び下辺部を覆う一又は複数の化粧部材とを備え、
前記化粧部材に上下から挟まれた中間領域が前記開放空間部となることを特徴とする家具。
【請求項２】
前記請求項１に記載の家具において、
前記連結支持部材が、上辺部と下辺部との間の中間部を家具背面寄りに位置させて配設され、
前記化粧部材の少なくとも一つが、前記開放空間部の家具背面寄り位置で前記連結支持部材の中間部及び上部家具ユニットと下部家具ユニットとの間の空き部分を家具正面側に対して覆い隠すことを特徴とする家具。
【請求項３】
前記請求項２に記載の家具において、
前記化粧部材が、前記上部家具ユニットの下面及び連結支持部材の上辺部を覆う上側部分と、前記下部家具ユニットの上面及び連結支持部材の下辺部を覆う下側部分と、連結支持部材の中間部を覆う家具背面寄り部分とを一体化されて略コ字状断面形状を有してなり、連結支持部材で固定された状態の上下家具ユニット間に家具正面側から挿入配設されて連結支持部材を覆い隠すことを特徴とする家具。
【請求項４】
前記請求項１ないし３のいずれかに記載の家具において、
前記上部家具ユニットと下部家具ユニットが、前記連結支持部材で連結された状態で複数組横に並設され、
前記化粧部材が、前記並設された上部家具ユニットと下部家具ユニットとの間の開放空間部の合計幅と略一致する幅寸法とされてなり、複数並設された上下家具ユニット間にわたって配設されることを特徴とする家具。
【発明の詳細な説明】
【０００１】
【発明の属する技術分野】
本発明は、家具上部と下部との中間に作業用スペースや比較的大型の物品の設置場所等とされる開放空間部を有する家具に関し、特に、家具ユニットを複数積重ね状態で組合わせて構成され、上下家具ユニットの連結部材が配置される中央部分に側方が開放された広いスペースを与えられる家具に関する。
【０００２】
【従来の技術】
主にキッチンやダイニング等に設置される食器棚等の家具は、保管、搬送時の利便性を高めたり、搬入時の作業性をよくするために、一般に上下に複数段分割構造とされている。この中で、カウンターラック等、レンジを収容する部分や作業スペースとして家具の上下方向中間部に一定の空きスペース（開放空間部）が確保されているタイプの家具においては、この開放空間部の上端又は下端を上下の分割位置とされて二分割されることが多かった。
この開放空間部については、家具の上部側から加わる荷重に耐える強度を確保するために側方及び後方に支持部材が配置されるのが一般的である。
【０００３】
【発明が解決しようとする課題】
従来の家具は上記のように形成されていることから、家具上部側部分及び収納物の重量を確実に支えるために開放空間部の両側及び後方には固定構造の支持部材が存在しており、特に左右両側の支持部材が、開放空間部を作業スペースとして用いる場合やレンジ等の物品を設置する場合に手や物と干渉して邪魔になるという課題を有した。また、開放空間部周囲の支持部材が付属する方の家具ユニットは依然大きいため、保管、搬送にコストがかかる上、搬入作業がやはり難しいという課題を有した。
【０００４】
本発明は前記課題を解消するためになされたもので、保管や搬送、搬入時はコンパクトにユニット化して容易に取扱える一方、一体化させると丈夫な構造にすることができ、さらに一体化状態での美観と使い勝手に優れる家具を提供することを目的とする。
【０００５】
【課題を解決するための手段】
本発明に係る家具は、家具上部と下部との中間に所定の開放空間部を配置して少なくとも上下方向に複数段構造とされる家具において、前記家具上部をなす上部家具ユニットと、前記家具下部をなす下部家具ユニットと、前記上部家具ユニットと前記下部家具ユニットとの中間に一又は複数配置され、上部家具ユニット下面に上辺部を固定されると共に下部家具ユニット上面に下辺部を固定される略コ字形状の連結支持部材と、少なくとも上部家具ユニットの下面と下部家具ユニットの上面、並びに前記連結支持部材の前記上辺部及び下辺部を覆う一又は複数の化粧部材とを備え、前記化粧部材に上下から挟まれた中間領域が前記開放空間部となるものである。
【０００６】
このように本発明においては、上下の家具ユニットを連結支持部材で連結して一体化し、連結状態では必要十分な強度を確保しつつ、組立以前は家具各構成部分、特に上下家具ユニット間の中間部分を細かく分割可能な構造とし、分割状態においてこの中間部分をなす各部材の占める容積を著しく小さくできることにより、保管、搬送及び搬入時に都合がよく、作業性に優れると共に、上部家具ユニットからの荷重を連結支持部材のみで支持でき、連結状態における上下家具ユニット間の開放空間部の両側に構造物がなくなり、開放空間部をより広く使えて干渉等もなく有効に活用でき、家具としての使い勝手に優れる。さらに、化粧部材で連結支持部材と上下家具ユニットの連結部分が覆われて外に露出することもなく、美観を損わない。
【０００７】
また、本発明に係る家具は必要に応じて、前記連結支持部材が、上辺部と下辺部との間の中間部を家具背面寄りに位置させて配設され、前記化粧部材の少なくとも一つが、前記開放空間部の家具背面寄り位置で前記連結支持部材の中間部及び上部家具ユニットと下部家具ユニットとの間の空き部分を家具正面側に対して覆い隠すものである。
このように本発明においては、家具背面寄りに位置させた連結支持部材の中間部分を化粧部材の少なくとも一つが家具正面側から覆い、連結支持部材が全て化粧部材で家具正面側を覆われて隠されることにより、使用者からは連結支持部材が見えなくなり、家具としての一体感がより一層表れて美観に優れると共に、開放空間部の使い勝手もほとんど変らず、干渉等なく有効に利用できる。
【０００８】
また、本発明に係る家具は必要に応じて、前記化粧部材が、前記上部家具ユニットの下面及び連結支持部材の上辺部を覆う上側部分と、前記下部家具ユニットの上面及び連結支持部材の下辺部を覆う下側部分と、連結支持部材の中間部を覆う家具背面寄り部分とを一体化されて略コ字状断面形状を有してなり、連結支持部材で固定された状態の上下家具ユニット間に家具正面側から挿入配設されて連結支持部材を覆い隠すものである。
このように本発明においては、化粧部材を略コ字状断面形状の一体部品とし、この化粧部材を連結状態の上下家具ユニット間に家具正面側から挿入して一度に配設できることにより、連結支持部材及び上下家具ユニットの連結支持部材固定面を隠した状態が容易に得られることとなり、組立作業性に優れると共に、当初から一体である化粧部材に継目等のない連続した統一感のあるデザインを与えられ、美観を向上させられる。
【０００９】
また、本発明に係る家具は必要に応じて、前記上部家具ユニットと下部家具ユニットが、前記連結支持部材で連結された状態で複数組横に並設され、前記化粧部材が、前記並設された上部家具ユニットと下部家具ユニットとの間の開放空間部の合計幅と略一致する幅寸法とされてなり、複数並設された上下家具ユニット間にわたって配設されるものである。
このように本発明においては、連結状態の上下家具ユニットの組を横に複数並設すると共に、化粧部材の幅方向寸法を並設された全ての家具ユニットにまたがる寸法とし、横に並設された上下家具ユニット間に横長の化粧部材をまとめて配設することにより、開放空間部が上下家具ユニットを並設した分だけ横に連続して広いスペースを確保できることとなり、このスペースを様々な用途に活用でき、使い勝手を向上させられると共にデザイン性も向上させられ、新しい使い方を提案できる。
【００１０】
【発明の実施の形態】
（本発明の第１の実施形態）
以下、本発明の第１の実施形態に係る家具を図１ないし図４に基づいて説明する。図１は本実施形態に係る家具の斜視図、図２は本実施形態に係る家具における化粧部材の斜視図、図３は本実施形態に係る家具の下部家具ユニットへの連結支持部材取付状態説明図、図４は本実施形態に係る家具の上下家具ユニット連結状態説明図である。
【００１１】
前記各図において、本実施の形態に係る家具１は、家具上部をなす上部家具ユニット１０と、家具下部をなす下部家具ユニット２０と、上部家具ユニット１０と下部家具ユニット２０との間に二つ配置され、上部家具ユニット１０下面に上辺部３１を固定されると共に下部家具ユニット２０上面に下辺部３２を固定されて上下家具ユニットを連結する略コ字形状の連結支持部材３０と、上部家具ユニット１０と下部家具ユニット２０との中間に挿入されて連結支持部材３０を覆い隠す略コ字状断面形状の化粧部材４０とを備える構成である。
【００１２】
前記上部家具ユニット１０及び下部家具ユニット２０は、家具の一部として上下に適宜積重ねた状態で一体に連結されて家具をなす開放棚部、戸棚部、引出し部等の公知のユニットであり、詳細な説明を省略する。家具全体としては、上部家具ユニット１０と下部家具ユニット２０との中間に化粧部材４０が配設された三段構造となっている。
【００１３】
前記連結支持部材３０は、上辺部３１と下辺部３２、及び上辺部３１と下辺部３２とを連結する中間部分３３とを有する金属製の略コ字状体であり、中間部分３３を家具背面寄りに位置させて上下家具ユニット間に配設される構成である。
この連結支持部材３０は、曲げ剛性を高めた横断面形状とされてなり、上部家具ユニット２０から加わる荷重で曲りや座屈が生じない十分な強度を有している。
上辺部３１と中間部分３３とのなす角は、９０．５°とするのが望ましい。なお、この連結支持部材３０の横断面形状は、図示した形状に限らず、曲げ剛性を十分に確保できるものであればどのような断面形状でもかまわない。また、連結支持部材３０には、上下各家具ユニット１０、２０や化粧部材４０への固定用の螺子を通すための孔３４が複数穿設される構成である。
【００１４】
前記化粧部材４０は、前記上部家具ユニット１０の下面及び連結支持部材３０の上辺部３１を覆う上側部分４１と、前記下部家具ユニット２０の上面及び連結支持部材３０の下辺部３２を覆う下側部分４２と、連結支持部材３０の中間部分３３及び上部家具ユニット１０と下部家具ユニット２０との間の空き部分を家具正面側に対して覆う家具背面寄り部分４３とを連結一体化された略コ字状断面形状を有してなり、連結支持部材３０で固定された状態の上下家具ユニット１０、２０間に家具正面側から挿入配設される構成である。この化粧部材４０の上下部分４１、４２及び背面寄り部分４３に囲まれた中間のスペースが前記開放空間部５０となる。
【００１５】
次に、前記構成に基づく家具の組立工程について説明する。搬入した各ユニットのうち、まず、下部家具ユニット２０を設置箇所に載置し、容易に動かない状態に保持したら、二つの連結支持部材３０を下部家具ユニット２０上面に載せ、下辺部３２と上面を螺子等で強固に固定する。
【００１６】
続いて、固定した連結支持部材３０の上側に上部家具ユニット１０を載せ、上部家具ユニット１０下面と上辺部３１を固定する。上下の各家具ユニット１０、２０が連結支持部材３０により一体に連結された状態で、化粧部材４０を上下家具ユニット１０、２０間に正面から挿入配設する。化粧部材４０には各連結支持部材３０に対応する位置にあらかじめ溝４７が穿設されており、連結支持部材３０との干渉はない。
【００１７】
前記化粧部材４０を奥まで挿入したら、化粧部材４０を上下の各家具ユニット１０、２０もしくは連結支持部材３０に固定し、各部材を完全に一体化する。化粧部材４０に囲まれた開放空間部５０の横方向には柱等の支持材は一切存在せず、広い空きスペースが確保される。
【００１８】
このように、本実施の形態に係る家具においては、組立以前の状態で上下家具ユニット１０、２０間の中間部分を連結支持部材３０と化粧部材４０とに分割可能な構造として、家具をなす各部材の占める容積を小さくできることから、保管、搬送及び搬入時に都合がよく、作業性に優れると共に、上部家具ユニット１０から加わる荷重を中間部分では連結支持部材３０のみで支持でき、連結状態における上下家具ユニット１０、２０間の開放空間部５０の両側に構造物がなくなることとなり、開放空間部５０をより広く使えて干渉等もなく有効に活用でき、家具としての使い勝手に優れる。また、化粧部材４０を略コ字状断面形状の一体部品とし、この化粧部材４０を連結状態の上下家具ユニット１０、２０間に家具正面側から挿入して一度に配設できることから、組立作業性に優れると共に、当初から一体である化粧部材４０に継目等のない連続した統一感のあるデザインを与えられ、美観を向上させられる。
【００１９】
なお、前記実施の形態に係る家具において、化粧部材４０を上部家具ユニット１０下面、下部家具ユニット２０上面、及び連結支持部材３０をまとめて覆う一体の略コ字状断面形状部材とする構成としているが、これに限らず、化粧部材４０を上下部分、背面寄り部分と各々分割して独立させた構成とすることもでき、設置前の保管時や搬送時、搬入時にスペースを過度に占有せず取扱いやすい。
【００２０】
また、前記実施の形態に係る家具において、上下家具ユニット１０、２０を連結する連結支持部材３０を二つ配設する構成としているが、これに限らず、上下家具ユニット１０、２０の横幅に応じて、連結支持部材３０の数を適宜増減でき、例えば、図５に示すように、上下家具ユニット１０、２０が横に長い広幅形状とされる場合には、三つ以上など、連結支持部材３０を上部家具ユニット１０からの荷重を支持するのに十分な数だけ配置することとなる。この場合、横に長い広幅形状の上部家具ユニット１０及び／又は下部家具ユニット２０は、あらかじめ横方向に複数の小ユニットを連結して一体に組合わせたものでもかまわない。
【００２１】
（本発明の第２の実施形態）
本発明の第２の実施形態に係る家具を図６ないし図９に基づいて説明する。図６は本実施形態に係る家具の正面図、図７は本実施形態に係る家具の側面図、図８は本実施形態に係る家具の斜視図、図９は本実施形態に係る家具の上下家具ユニット連結状態説明図である。
【００２２】
前記各図において、本実施の形態に係る家具１は、前記第１の実施形態同様、上部家具ユニット１０と、下部家具ユニット２０と、連結支持部材３０とを備える一方、異なる点として、上下の家具ユニット１０、２０を連結支持部材３０で連結している状態で、上部家具ユニット１０下面と連結支持部材３０の上辺部３１を覆う上側化粧部材４４、及び、下部家具ユニット２０上面と連結支持部材３０の下辺部３２を覆う下側化粧部材４５がそれぞれ配設され、上下の家具ユニット１０、２０間の中間部分が連結支持部材３０位置を除いて前後方向開放状態とされる構成を有するものである。
【００２３】
前記上側化粧部材４４及び下側化粧部材４５は、各々略板状体で形成されると共に、前記第１の実施形態における化粧部材４０の上側部分４１と下側部分４２同様、それぞれ連結支持部材３０の上辺部３１又は下辺部３２に対応する位置にあらかじめ溝が穿設されており、連結支持部材３０と干渉せずに上部家具ユニット１０下面もしくは下部家具ユニット２０上面に沿って配置されてこれらを覆える仕組みである。
【００２４】
次に、前記構成に基づく家具の組立工程について説明する。前記第１の実施形態同様、下部家具ユニット２０、連結支持部材３０、上部家具ユニット１０の順で積上げつつそれぞれ連結固定したら、上部家具ユニット１０下面と連結支持部材３０の上辺部３１を覆う上側化粧部材４４、並びに下部家具ユニット２０上面と連結支持部材３０の下辺部３２を覆う下側化粧部材４５をそれぞれ取付けて固定し、各部材を完全に一体化する。上側化粧部材４４及び下側化粧部材４５に囲まれた開放空間部５０の横方向には、前記第１の実施形態同様、柱等の支持材は一切存在せず、広い空きスペースが確保される。さらに、開放空間部５０の家具背面側には連結支持部材３０以外何も存在せず、上下家具ユニット１０、２０の中間部分は前後方向に開放状態となり、カウンターラック等としても応用できるなど用途を拡大させられる。
【００２５】
このように、本実施の形態に係る家具においては、上下の家具ユニット１０、２０を連結支持部材３０で連結して一体化し、連結状態では必要十分な強度を確保しつつ、組立以前は家具各構成部分、特に上下家具ユニット１０、２０間の中間部分を細かく分割可能な構造とし、分割状態においてこの中間部分をなす各部材の占める容積を著しく小さくできることから、保管、搬送及び搬入時に都合がよく、作業性に優れると共に、上部家具ユニット１０からの荷重を中間部分では連結支持部材２０のみで支持でき、連結状態における上下家具ユニット１０、２０間の開放空間部５０の周囲に連結支持部材３０以外の構造物がなくなり、開放空間部５０を家具前後各位置から様々な用途に有効に活用でき、家具としての使い勝手に優れる。さらに、上側化粧部材４４及び下側化粧部材４５で連結支持部材３０と上下家具ユニット１０、２０の連結部分が覆われて外に露出することもなく、家具としての美観を損わない。
【００２６】
また、前記第１及び第２の各実施の形態に係る家具において、連結支持部材３０の中間部分３３正面側及び背面側には何も配設せず露出状態とする構成としているが、これに限らず、連結支持部材３０の人目にさらされる家具正面側部分及び／又は背面側部分のみ覆う化粧部材を配設する構成とすることもでき、連結支持部材３０の中間部分３３のデザインを考慮する必要がなく、連結支持部材３０をより簡素な構造・外観としてコストダウンが図れる。
【００２７】
（本発明の第３の実施形態）
本発明の第３の実施形態に係る家具を図１０に基づいて説明する。図１０は本実施の形態に係る家具の正面図である。
前記図１０において、本実施の形態に係る家具１は、前記第１の実施形態同様、上部家具ユニット１０と、下部家具ユニット２０と、連結支持部材３０とを備える一方、異なる点として、上下の家具ユニット１０、２０を連結支持部材３０で連結している状態で、これらの複数組を横方向に並べて一体に固定し、これら上下の家具ユニット１０、２０の中間部分に、並設された全ての家具ユニットにまたがる幅方向寸法の化粧部材４６がまとめて挿入配設される構成を有するものである。
【００２８】
前記化粧部材４６は、前記第１の実施形態における化粧部材４０同様、上側部分と下側部分、及び背面寄り部分とを連結一体化された略コ字状断面形状を有することに加えて、横方向の幅寸法を前記並設された各上部家具ユニット１０と下部家具ユニット２０との間の開放空間部５０の合計幅と一致する寸法とされてなり、複数並設された上部家具ユニット１０と下部家具ユニット２０との間に家具正面側から挿入されて複数の上下家具ユニット１０、２０間にわたって配設される構成である。開放空間部５０の横幅も、化粧部材４６同様、上下家具ユニット１０、２０の並設数分横に広がったものとなる。
【００２９】
次に、前記構成に基づく家具の組立工程について説明する。搬入した各ユニットのうち、上下で組となる下部家具ユニット２０と上部家具ユニット１０とを、前記第１の実施形態同様、連結支持部材３０を介してそれぞれ連結固定する。
続いて、各組の上下家具ユニット１０、２０が連結支持部材３０により一体に連結された状態で、これらを横方向に並べて連結固定し、一体化する。そして、化粧部材４６を並設状態の上下家具ユニット１０、２０間に正面から挿入配設する。化粧部材４６には各連結支持部材３０に対応する位置にあらかじめ溝が穿設されており、連結支持部材３０との干渉はない。
【００３０】
前記化粧部材４６を奥まで挿入したら、化粧部材４６を上下の各家具ユニット１０、２０もしくは連結支持部材３０に固定し、各部材を完全に一体化する。化粧部材４６に囲まれた開放空間部５０の横方向には、前記第１の実施形態同様、柱等の支持材は一切存在せず、横方向に広い空きスペースが確保されることとなる。
【００３１】
このように、本実施の形態に係る家具においては、連結状態の上下家具ユニット１０、２０の組を横に複数並設すると共に、化粧部材４６の幅方向寸法を並設された全ての家具ユニットにまたがる寸法とし、横に並設された上下家具ユニット１０、２０間に横長の化粧部材４６をまとめて配設することから、開放空間部５０が上下家具ユニット１０、２０を並設した分だけ横に連続して広いスペースを確保できることとなり、このスペースを様々な用途に活用でき、使い勝手を向上させられると共にデザイン性も向上させられ、新しい使い方を提案できる。
【００３２】
【発明の効果】
以上のように本発明によれば、上下の家具ユニットを連結支持部材で連結して一体化し、連結状態では必要十分な強度を確保しつつ、組立以前は家具各構成部分、特に上下家具ユニット間の中間部分を細かく分割可能な構造とし、分割状態においてこの中間部分をなす各部材の占める容積を著しく小さくできることにより、保管、搬送及び搬入時に都合がよく、作業性に優れると共に、上部家具ユニットからの荷重を連結支持部材のみで支持でき、連結状態における上下家具ユニット間の開放空間部の両側に構造物がなくなり、開放空間部をより広く使えて干渉等もなく有効に活用でき、家具としての使い勝手に優れるという効果を奏する。さらに、化粧部材で連結支持部材と上下家具ユニットの連結部分が覆われて外に露出することもなく、美観を損わないという効果を有する。
【００３３】
また、本発明によれば、家具背面寄りに位置させた連結支持部材の中間部分を化粧部材の少なくとも一つが家具正面側から覆い、連結支持部材が全て化粧部材で家具正面側を覆われて隠されることにより、使用者からは連結支持部材が見えなくなり、家具としての一体感がより一層表れて美観に優れると共に、開放空間部の使い勝手もほとんど変らず、干渉等なく有効に利用できるという効果を有する。
【００３４】
また、本発明によれば、化粧部材を略コ字状断面形状の一体部品とし、この化粧部材を連結状態の上下家具ユニット間に家具正面側から挿入して一度に配設できることにより、連結支持部材及び上下家具ユニットの連結支持部材固定面を隠した状態が容易に得られることとなり、組立作業性に優れると共に、当初から一体である化粧部材に継目等のない連続した統一感のあるデザインを与えられ、美観を向上させられるという効果を有する。
【００３５】
また、本発明によれば、連結状態の上下家具ユニットの組を横に複数並設すると共に、化粧部材の幅方向寸法を並設された全ての家具ユニットにまたがる寸法とし、横に並設された上下家具ユニット間に横長の化粧部材をまとめて配設することにより、開放空間部が上下家具ユニットを並設した分だけ横に連続して広いスペースを確保できることとなり、このスペースを様々な用途に活用でき、使い勝手を向上させられると共にデザイン性も向上させられ、新しい使い方を提案できるという効果を有する。
【図面の簡単な説明】
【図１】本発明の第１の実施形態に係る家具の斜視図である。
【図２】本発明の第１の実施形態に係る家具における化粧部材の斜視図である。
【図３】本発明の第１の実施形態に係る家具の下部家具ユニットへの連結支持部材取付状態説明図である。
【図４】本発明の第１の実施形態に係る家具の上下家具ユニット連結状態説明図である。
【図５】本発明の第１の実施形態に係る他の家具の斜視図である。
【図６】本発明の第２の実施形態に係る家具の正面図である。
【図７】本発明の第２の実施形態に係る家具の側面図である。
【図８】本発明の第２の実施形態に係る家具の斜視図である。
【図９】本発明の第２の実施形態に係る家具の上下家具ユニット連結状態説明図である。
【図１０】本発明の第３の実施形態に係る家具の正面図である。
【符号の説明】
１      家具
１０    上部家具ユニット
２０    下部家具ユニット
３０    連結支持部材
３１    上辺部
３２    下辺部
３３    中間部分
３４    孔
４０、４６  化粧部材
４１    上側部分
４２    下側部分
４３    背面寄り部分
４４    上側化粧部材
４５    下側化粧部材
４７    溝
５０    開放空間部
【図１】
2004209122.tif 000003
【図２】
2004209122.tif 000004
【図３】
2004209122.tif 000005
【図４】
2004209122.tif 000006
【図５】
2004209122.tif 000007
【図６】
2004209122.tif 000008
【図７】
2004209122.tif 000009
【図８】
2004209122.tif 000010
【図９】
2004209122.tif 000011
【図１０】
2004209122.tif 000012